(57)【要約】【課題】マルチディスプレイシステムの画像表示装置に原画像の所望の特徴量に基づく処理を容易に実行させることができる技術を提供する。【解決手段】本発明の画像表示装置は、原画像を構成する複数の部分画像をそれぞれ表示する複数の部分表示装置のいずれかであって、所定サイズ以下のサイズに前記原画像を縮小した縮小原画像と、表示対象の部分画像である対象部分画像とを取得する第１取得手段と、前記縮小原画像から特徴量を取得する第２取得手段と、前記特徴量に基づく処理を実行する処理手段と、前記対象部分画像を画面に表示する表示手段と、を有する。【選択図】図２
2017078834.tif 000002
【特許請求の範囲】
【請求項１】
原画像を構成する複数の部分画像をそれぞれ表示する複数の部分表示装置のいずれかであって、
所定サイズ以下のサイズに前記原画像を縮小した縮小原画像と、表示対象の部分画像である対象部分画像とを取得する第１取得手段と、
前記縮小原画像から特徴量を取得する第２取得手段と、
前記特徴量に基づく処理を実行する処理手段と、
前記対象部分画像を画面に表示する表示手段と、
を有することを特徴とする画像表示装置。
【請求項２】
前記第１取得手段は、前記対象部分画像と前記縮小原画像とが配置された入力合成画像を取得する
ことを特徴とする請求項１に記載の画像表示装置。
【請求項３】
前記第１取得手段は、各部分表示装置の対象部分画像を取得し、各部分表示装置の対象部分画像から前記縮小原画像を生成する
ことを特徴とする請求項１に記載の画像表示装置。
【請求項４】
前記画像表示装置は、デイジーチェーン接続された前記複数の部分表示装置のうちの最後段の部分表示装置ではなく、
前記第１取得手段は、後段の部分表示装置の対象部分画像を取得し、
前記画像表示装置は、前記縮小原画像と、前記後段の部分表示装置の前記対象部分画像とを、前記後段の部分表示装置に出力する出力手段、をさらに有する
ことを特徴とする請求項２または３に記載の画像表示装置。
【請求項５】
前記出力手段は、前記縮小原画像と、前記後段の部分表示装置の前記対象部分画像とが配置された出力合成画像を、前記後段の部分表示装置に出力する
ことを特徴とする請求項４に記載の画像表示装置。
【請求項６】
前記画像表示装置は、デイジーチェーン接続された前記複数の部分表示装置のうちの最後段の部分表示装置ではなく、
前記第１取得手段は、後段の部分表示装置の対象部分画像を取得し、
前記画像表示装置は、前記後段の部分表示装置の前記対象部分画像と、前記特徴量とを、前記後段の部分表示装置に出力する出力手段、をさらに有する
ことを特徴とする請求項２または３に記載の画像表示装置。
【請求項７】
前記対象部分画像は、前記表示対象の部分画像を縮小した画像である
ことを特徴とする請求項１〜６のいずれか１項に記載の画像表示装置。
【請求項８】
前記対象部分画像のサイズを前記画面のサイズに合わせることにより、スケールド画像を生成するスケーリング手段、をさらに有し、
前記表示手段は、前記スケールド画像を画面に表示する
ことを特徴とする請求項１〜７のいずれか１項に記載の画像表示装置。
【請求項９】
原画像を構成する複数の部分画像をそれぞれ表示する複数の部分表示装置を有する画像表示システムであって、
前記複数の部分表示装置の少なくともいずれかは、
所定サイズ以下のサイズに前記原画像を縮小した縮小原画像と、表示対象の部分画像である対象部分画像とを取得する第１取得手段と、
前記縮小原画像から特徴量を取得する第２取得手段と、
前記特徴量に基づく処理を実行する処理手段と、
前記対象部分画像を画面に表示する表示手段と、
を有する
ことを特徴とする画像表示システム。
【請求項１０】
原画像を構成する複数の部分画像をそれぞれ表示する複数の部分表示装置のいずれかである画像表示装置の制御方法であって、
所定サイズ以下のサイズに前記原画像を縮小した縮小原画像と、表示対象の部分画像である対象部分画像とを取得する第１取得ステップと、
前記縮小原画像から特徴量を取得する第２取得ステップと、
前記特徴量に基づく処理を実行する処理ステップと、
前記対象部分画像を画面に表示する表示ステップと、
を有することを特徴とする画像表示装置の制御方法。
【請求項１１】
前記第１取得ステップでは、前記対象部分画像と前記縮小原画像とが配置された入力合成画像を取得する
ことを特徴とする請求項１０に記載の画像表示装置の制御方法。
【請求項１２】
前記第１取得ステップでは、各部分表示装置の対象部分画像を取得し、各部分表示装置の対象部分画像から前記縮小原画像を生成する
ことを特徴とする請求項１０に記載の画像表示装置の制御方法。
【請求項１３】
前記画像表示装置は、デイジーチェーン接続された前記複数の部分表示装置のうちの最後段の部分表示装置ではなく、
前記第１取得ステップでは、後段の部分表示装置の対象部分画像を取得し、
前記画像表示装置の制御方法は、前記縮小原画像と、前記後段の部分表示装置の前記対象部分画像とを、前記後段の部分表示装置に出力する出力ステップ、をさらに有する
ことを特徴とする請求項１１または１２に記載の画像表示装置の制御方法。
【請求項１４】
前記出力ステップでは、前記縮小原画像と、前記後段の部分表示装置の前記対象部分画像とが配置された出力合成画像を、前記後段の部分表示装置に出力する
ことを特徴とする請求項１３に記載の画像表示装置の制御方法。
【請求項１５】
前記画像表示装置は、デイジーチェーン接続された前記複数の部分表示装置のうちの最後段の部分表示装置ではなく、
前記第１取得ステップでは、後段の部分表示装置の対象部分画像を取得し、
前記画像表示装置の制御方法は、前記後段の部分表示装置の前記対象部分画像と、前記特徴量とを、前記後段の部分表示装置に出力する出力ステップ、をさらに有する
ことを特徴とする請求項１１または１２に記載の画像表示装置の制御方法。
【請求項１６】
前記対象部分画像は、前記表示対象の部分画像を縮小した画像である
ことを特徴とする請求項１０〜１５のいずれか１項に記載の画像表示装置の制御方法。
【請求項１７】
前記対象部分画像のサイズを前記画面のサイズに合わせることにより、スケールド画像を生成するスケーリングステップ、をさらに有し、
前記表示ステップでは、前記スケールド画像を画面に表示する
ことを特徴とする請求項１０〜１６のいずれか１項に記載の画像表示装置の制御方法。
【発明の詳細な説明】
【技術分野】
【０００１】
本発明は、画像表示装置に関する。
【背景技術】
【０００２】
表示領域（画像が表示される領域）の拡大を実現する画像表示システムとして、画像出力装置と複数の画像表示装置とを有するマルチディスプレイシステムがある。マルチディスプレイシステムでは、複数の画像表示装置の複数の表示領域（画面）を組み合わせることによって合成表示領域が形成される。そして、原画像を構成する複数の部分画像が複数の表示領域に表示されることにより、合成表示領域に原画像が表示される。マルチディスプレイシステムにおける画像出力装置と複数の画像表示装置との接続には、スター接続とデイジーチェーン接続がある。
【０００３】
図２０は、画像出力装置１０と４つの画像表示装置２０とがスター接続されたマルチディスプレイシステムの一例を示す。図２０に示すように、スター接続を用いたマルチディスプレイシステムでは、画像出力装置１０が各画像表示装置２０に接続される。そして、画像出力装置１０は、各画像表示装置２０に対し、その画像表示装置２０で表示される部分画像を出力する。
【０００４】
図２１は、画像出力装置１０と４つの画像表示装置２０とがデイジーチェーン接続されたマルチディスプレイシステムの一例を示す。図２１に示すように、デイジーチェーン接続を用いたマルチディスプレイシステムでは、画像出力装置１０と４つの画像表示装置２０とが直列に接続される。画像出力装置１０は、画像出力装置１０に接続された画像表示装置２０に対して、４つの画像表示装置２０で表示される４つの部分画像を出力する。最後段の画像表示装置２０でない画像表示装置２０は、入力された４つの部分画像を後段の画像表示装置２０に対してパススルーで出力する。各画像表示装置２０は、入力された４つの部分画像のうちの１つを表示する。
【０００５】
図２２は、原画像と部分画像の一例を示す。画像出力装置１０により、原画像２０００が４つの部分画像２００１に分割される。そして、４つの部分画像２００１が４つの画像表示装置２０で表示されることにより、原画像２０００が表示される。
【０００６】
画像表示装置では、画像の特徴量（情報）に基づく処理が行われることがある。例えば、輝度調整、シーン検出、等が行われることがある。輝度調整の一例として、特徴量に基づいて表示画像（画面に表示された画像）全体の輝度を変更する処理が挙げられる。このような輝度調整によれば、時間軸方向における表示画像コントラスト（表示画像のコントラスト）を向上できる。シーン検出は、動画の各フレームの特徴量に基づいてシーンの切り替わりを検出する処理である。シーン検出の結果は、シーンに適した画像処理の実行、シーンに適したメタデータの生成、等に利用される。
【０００７】
従来のマルチディスプレイでは、各画像表示装置は、自身で表示される部分画像の特徴量を取得することはできるが、原画像の特徴量を取得することはできない。その理由は、例えば、以下の理由１〜３の少なくともいずれかを含む。
理由１：コスト削減のために、各画像表示装置の特徴取得サイズ（特徴量を取得可能な画像のサイズ）が原画像のサイズよりも小さいサイズに制限されている。
理由２：コスト削減のために、各画像表示装置に入力可能な画像のサイズが原画像のサイズよりも小さいサイズに制限されている。
理由３：画像表示装置に一部の部分画像のみが入力される。
【０００８】
そこで、原画像の特徴量に基づく処理を各画像表示装置に実行させる技術として、特許文献１の技術が提案されている。特許文献１の技術では、画像出力装置が、原画像の特徴量を取得し、部分画像の伝送に用いるケーブルとは別のケーブルを用いて、原画像の特徴量を画像表示装置に出力する。
【０００９】
しかしながら、特許文献１の技術では、各画像表示装置で使用される特徴量の種類が変化した場合に、画像出力装置で取得される特徴量の種類を変更する必要がある。そのため、画像出力装置で取得される特徴量の種類を自動で変更する機能の追加によるコストアップ、画像出力装置で取得される特徴量の種類を手動で変更することによるユーザ操作の煩雑化、等が生じる。画像表示装置で使用される特徴量の種類は、例えば、画像処理アルゴリズムの更新に伴って変化したり、画像表示装置の動作モードの変更に伴って変化したりする。また、特許文献１の技術では、画像伝送用ケーブルの他に特徴量伝送用ケーブルが必要である。そのため、接続の煩雑化、コストアップ、等が生じる。
【先行技術文献】
【特許文献】
【００１０】
【特許文献１】特開２０１２−２７１５４号公報
【発明の概要】
【発明が解決しようとする課題】
【００１１】
本発明は、マルチディスプレイシステムの画像表示装置に原画像の所望の特徴量に基づく処理を容易に実行させることができる技術を提供することを目的とする。
【課題を解決するための手段】
【００１２】
本発明の第１の態様は、
原画像を構成する複数の部分画像をそれぞれ表示する複数の部分表示装置のいずれかであって、
所定サイズ以下のサイズに前記原画像を縮小した縮小原画像と、表示対象の部分画像である対象部分画像とを取得する第１取得手段と、
前記縮小原画像から特徴量を取得する第２取得手段と、
前記特徴量に基づく処理を実行する処理手段と、
前記対象部分画像を画面に表示する表示手段と、
を有することを特徴とする画像表示装置である。
【００１３】
本発明の第２の態様は、
原画像を構成する複数の部分画像をそれぞれ表示する複数の部分表示装置を有する画像表示システムであって、
前記複数の部分表示装置の少なくともいずれかは、
所定サイズ以下のサイズに前記原画像を縮小した縮小原画像と、表示対象の部分画像である対象部分画像とを取得する第１取得手段と、
前記縮小原画像から特徴量を取得する第２取得手段と、
前記特徴量に基づく処理を実行する処理手段と、
前記対象部分画像を画面に表示する表示手段と、
を有する
ことを特徴とする画像表示システムである。
【００１４】
本発明の第３の態様は、
原画像を構成する複数の部分画像をそれぞれ表示する複数の部分表示装置のいずれかである画像表示装置の制御方法であって、
所定サイズ以下のサイズに前記原画像を縮小した縮小原画像と、表示対象の部分画像である対象部分画像とを取得する第１取得ステップと、
前記縮小原画像から特徴量を取得する第２取得ステップと、
前記特徴量に基づく処理を実行する処理ステップと、
前記対象部分画像を画面に表示する表示ステップと、
を有することを特徴とする画像表示装置の制御方法である。
【発明の効果】
【００１５】
本発明によれば、マルチディスプレイシステムの画像表示装置に原画像の所望の特徴量に基づく処理を容易に実行させることができる。
【図面の簡単な説明】
【００１６】
【図１】実施例１に係る画像表示システムの構成の一例を示すブロック図
【図２】実施例１に係る部分表示装置の構成の一例を示すブロック図
【図３】実施例１に係る合成画像の一例を示す図
【図４】実施例１に係る画像表示システムの動作の一例を示す図
【図５】実施例１に係る画像出力装置の出力画像の一例を示す図
【図６】実施例２に係る画像表示システムの構成の一例を示すブロック図
【図７】実施例２に係る部分表示装置の構成の一例を示すブロック図
【図８】実施例２に係る画像表示システムの動作の一例を示す図
【図９】実施例２に係る画像出力装置の出力画像の一例を示す図
【図１０】実施例３に係る画像表示システムの構成の一例を示すブロック図
【図１１】実施例３に係る部分表示装置の構成の一例を示すブロック図
【図１２】実施例３に係る画像表示システムの動作の一例を示す図
【図１３】実施例３に係る画像出力装置の出力画像の一例を示す図
【図１４】実施例４に係る画像表示システムの構成の一例を示すブロック図
【図１５】実施例４に係る先頭表示装置の構成の一例を示すブロック図
【図１６】実施例４に係る非先頭表示装置の構成の一例を示すブロック図
【図１７】実施例４に係る画像表示システムの動作の一例を示す図
【図１８】実施例４に係る画像出力装置の出力画像の一例を示す図
【図１９】実施例４に係る部分表示装置の出力画像の一例を示す図
【図２０】スター接続された画像表示システムの一例を示す図
【図２１】デイジーチェーン接続された画像表示システムの一例を示す図
【図２２】原画像と部分画像の一例を示す図
【発明を実施するための形態】
【００１７】
＜実施例１＞
以下、本発明の実施例１について説明する。本実施例に係る画像表示システムは、原画像を構成する複数の部分画像をそれぞれ表示する複数の画像表示装置（部分表示装置）を有するマルチディスプレイシステムである。本実施例に係る画像表示装置としては、液晶表示装置、有機ＥＬ表示装置、プラズマ表示装置、プロジェクタ、等を使用することができる。なお、複数の部分表示装置の少なくともいずれかは、複数の部分表示装置における他の部分表示装置から独立した装置であってもよいし、そうでなくてもよい。２つ以上の部分表示装置が一体で構成されていてもよい。
【００１８】
図１は、本実施例に係る画像表示システムの構成の一例を示すブロック図である。図１に示すように、本実施例に係る画像表示システムは、画像出力装置１００と、４台の部分表示装置（部分表示装置２００Ａ、部分表示装置２００Ｂ、部分表示装置２００Ｃ、及び、部分表示装置２００Ｄ）とを有する。画像出力装置１００、部分表示装置２００Ａ、部分表示装置２００Ｂ、部分表示装置２００Ｃ、及び、部分表示装置２００Ｄは、その順番
でデイジーチェーン接続されている。なお、部分表示装置の数は４台より多くても少なくてもよい。
【００１９】
画像出力装置１００は、表示対象の原画像を構成する複数の部分画像を出力する。本実施例では、画像出力装置１００は、４つの部分画像を出力する。部分表示装置２００Ａ〜２００Ｄのそれぞれは、画像出力装置１００から出力された複数の部分画像のいずれかを表示領域（画面）に表示する。具体的には、４台の部分表示装置２００Ａ〜２００Ｄは上記４つの部分画像をそれぞれ表示する。４台の部分表示装置２００Ａ〜２００Ｄの４つの表示領域（画面）は、当該４つの表示領域によって合成表示領域が形成されるように配置されている。例えば、上記４つの表示領域は、２行２列のマトリクス状に配置されている。そのため、４台の部分表示装置２００Ａ〜２００Ｄは上記４つの部分画像をそれぞれ表示することにより、合成表示領域に原画像が表示される。
【００２０】
画像出力装置１００は、画像記憶部１０１、画像分割部１０２、画像縮小部１０３、画像合成部１０４、画像出力部１０５、制御部１０６、及び、通信部１０７を有する。
【００２１】
画像記憶部１０１は、１つ以上の原画像（原画像の画像データ）などを記憶する記憶部である。画像記憶部１０１としては、磁気ディスク、半導体メモリ、光ディスク、等を使用することができる。具体的には、画像記憶部１０１として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、等を使用することができる。
【００２２】
通信部１０７は、画像出力装置１００に接続された外部装置との通信を行う。本実施例では、通信部１０７は、部分表示装置２００Ａとの通信を行う。具体的には、通信部１０７は、部分表示装置２００Ａから表示装置情報と原画像要求を受信する。通信部１０７と部分表示装置２００Ａとの間の通信は、例えば、通信部１０７と部分表示装置２００Ａとを接続する画像伝送ケーブルの通信チャンネルを用いて行われる。
【００２３】
表示装置情報は、画像表示システムに使用される複数の部分表示装置に関する情報である。例えば、表示装置情報には、各部分表示装置の画面配置の情報、複数の部分表示装置の接続形態の情報、部分表示装置の数の情報、等が含まれる。表示装置情報は、例えば、画像出力装置１００と部分表示装置２００Ａ〜２００Ｄとの接続が確立したタイミングで、部分表示装置２００Ａから出力される。
【００２４】
原画像要求は、原画像の特徴量と略同一の特徴量を取得可能な画像の出力を指示する要求である。例えば、原画像要求には、原画像の特徴量と略同一の特徴量の取得に必要な原画像のサイズの情報が含まれる。原画像要求は、例えば、各部分表示装置において原画像の特徴量が必要となったタイミングで、部分表示装置２００Ａから出力される。
【００２５】
画像分割部１０２は、表示対象の原画像を画像記憶部１０１から取得する。表示対象の原画像は、例えば、画像表示システムに対するユーザ操作に応じて、画像記憶部１０１が記憶している１つ以上の原画像から選択される。具体的には、表示対象の原画像は、画像出力装置１００、部分表示装置２００Ａ、部分表示装置２００Ｂ、部分表示装置２００Ｃ、及び、部分表示装置２００Ｄのいずれかに対するユーザ操作に応じて選択される。以後、「原画像」は、「表示対象の原画像」を意味する。そして、画像分割部１０２は、通信部１０７によって受信された表示装置情報に応じて、原画像を、複数の部分表示装置でそれぞれ表示される複数の部分画像に分割する。本実施例では、原画像が４つの部分画像に分割される。
【００２６】
画像縮小部１０３は、所定サイズ以下のサイズに原画像を縮小することにより、縮小原
画像を生成する。所定サイズは、例えば、各部分表示装置の特徴取得サイズ（特徴量を取得可能な画像のサイズ）、各部分表示装置に入力可能な画像のサイズ、等である。本実施例では、画像縮小部１０３は、通信部１０７によって受信された原画像要求に応じたサイズ（原画像の特徴量と略同一の特徴量の取得に必要な原画像のサイズ）に原画像を縮小することにより、縮小原画像を生成する。また、画像縮小部１０３は、部分表示装置２００Ａに伝送可能なサイズを有する画像が後述する合成画像として生成されるように複数の部分画像のそれぞれを縮小することにより、複数の縮小部分画像を生成する。各部分画像は、例えば、原画像要求（縮小原画像のサイズ）に応じたサイズに縮小される。部分表示装置２００Ａに伝送可能なサイズを有する合成画像を部分画像の縮小無しで生成できる場合には、部分画像の縮小は省略されてもよい。
【００２７】
画像合成部１０４は、複数の縮小部分画像のそれぞれについて、その縮小部分画像と縮小原画像とを合成することにより、当該縮小部分画像と縮小原画像とが配置された合成画像を生成する。本実施例では、４つの合成画像が生成される。部分画像の縮小が行われなかった場合には、部分画像と縮小原画像とを合成することにより、部分画像と縮小原画像とが配置された合成画像が生成される。
【００２８】
画像出力部１０５は、複数の合成画像（合成画像の画像データ）を外部装置に出力する。本実施例では、画像出力部１０５は、画像伝送ケーブルを用いて、複数の合成画像を部分表示装置２００Ａに出力する。
【００２９】
制御部１０６は、画像出力装置１００が有する各機能部の処理を制御する。例えば、制御部１０６は、表示装置情報や原画像要求に基づいて、画像の分割、画像の縮小、画像の合成、等を制御する。
【００３０】
図２は、本実施例に係る部分表示装置２００の構成の一例を示すブロック図である。図１の部分表示装置２００Ａ〜２００Ｄは、図２の部分表示装置２００の構成と同様の構成を有する。図２に示すように、部分表示装置２００は、画像入力部２０１、特徴量取得部２０２、スケーリング部２０３、特徴量処理部２０４、画像表示部２０５、特徴量制御部２０６、通信部２０７、及び、ユーザ設定部２０８を有する。
【００３１】
画像入力部２０１は、部分表示装置２００の合成画像（入力合成画像；合成画像の画像データ）を取得する。画像入力部２０１は、部分表示装置２００の合成画像を、特徴量取得部２０２とスケーリング部２０３に出力する。部分表示装置２００の合成画像は、部分表示装置２００の対象部分画像と、縮小原画像とが配置された合成画像である。部分表示装置２００の対象部分画像は、部分表示装置２００の表示対象の部分画像、または、部分表示装置２００の表示対象の部分画像を縮小した縮小部分画像である。
【００３２】
部分表示装置２００の後段に他の部分表示装置が接続されている場合には、画像入力部２０１は、後段の部分表示装置の合成画像も取得する。そして、画像入力部２０１は、後段の部分表示装置の合成画像（出力合成画像）を、後段の部分表示装置に出力する。なお、画像入力部２０１は、画像入力部２０１に入力された全ての合成画像を後段の部分表示装置に出力してもよい。
【００３３】
例えば、部分表示装置２００Ａの画像入力部２０１は、部分表示装置２００Ａ〜２００Ｄの合成画像を画像出力装置１００から取得する。そして、部分表示装置２００Ａの画像入力部２０１は、部分表示装置２００Ｂ〜２００Ｄの合成画像を部分表示装置２００Ｂに出力する。部分表示装置２００Ｂの画像入力部２０１は、部分表示装置２００Ｂ〜２００Ｄの合成画像を部分表示装置２００Ａから取得する。そして、部分表示装置２００Ｂの画像入力部２０１は、部分表示装置２００Ｃ，２００Ｄの合成画像を部分表示装置２００Ｃ
に出力する。部分表示装置２００Ｃの画像入力部２０１は、部分表示装置２００Ｃ，２００Ｄの合成画像を部分表示装置２００Ｂから取得する。そして、部分表示装置２００Ｃの画像入力部２０１は、部分表示装置２００Ｄの合成画像を部分表示装置２００Ｄに出力する。部分表示装置２００Ｄの画像入力部２０１は、部分表示装置２００Ｄの合成画像を部分表示装置２００Ｃから取得する。そして、部分表示装置２００Ｄは最後段の部分表示装置であるため、部分表示装置２００Ｄの画像入力部２０１は、合成画像を部分表示装置２００Ｄの外部に出力しない。
【００３４】
図３は、合成画像７００の一例を示す。上述したように、合成画像７００には、対象部分画像７０１と縮小原画像７０２とが配置されている。そのため、合成画像７００を取得する処理により、対象部分画像７０１を取得する処理と、縮小原画像７０２を取得する処理とが実現される（第１取得処理）。また、合成画像７００を出力する処理により、対象部分画像７０１を出力する処理と、縮小原画像７０２を出力する処理とが実現される。
【００３５】
図３では、ＰｂｙＰ（Ｐｉｃｔｕｒｅ  ｂｙ  Ｐｉｃｔｕｒｅ）のように対象部分画像７０１と縮小原画像７０２が配置されている。即ち、図３では、対象部分画像７０１と縮小原画像７０２が変形されておらず、対象部分画像７０１と縮小原画像７０２の一方が他方に重なっていない。また、図３では、対象部分画像７０１が左上に配置されており、縮小原画像７０２が右下に配置されている。しかしながら、対象部分画像と縮小原画像の合成方法は特に限定されない。例えば、対象部分画像が左下、右上、右下、中央、等に配置されてもよい。縮小原画像の配置も特に限定されない。無駄な領域（対象部分画像も縮小原画像も存在しない領域）が減るように、縮小原画像が変形されて配置されてもよい。例えば、隅に対象部分画像が配置されることで生じるＬ字形状の領域に縮小原画像が収まるように、縮小原画像の形状がＬ字形状に変形されてもよい。
【００３６】
特徴量制御部２０６は、所定サイズ以下のサイズの情報（サイズ情報）を、特徴量取得部２０２、スケーリング部２０３、及び、通信部２０７に出力する。本実施例では、原画像の特徴量と略同一の特徴量の取得に必要な原画像のサイズを算出して保持し、当該サイズの情報を、サイズ情報として、特徴量取得部２０２、スケーリング部２０３、及び、通信部２０７に出力する。
【００３７】
特徴量取得部２０２は、部分表示装置２００の合成画像に配置された縮小原画像から特徴量を取得する（第２取得処理）。具体的には、特徴量取得部２０２は、特徴量制御部２０６からのサイズ情報に基づいて、部分表示装置２００の合成画像の領域から縮小原画像の領域を検出する。そして、特徴量取得部２０２は、検出した領域における特徴量を、部分表示装置２００の合成画像から取得する。
【００３８】
スケーリング部２０３は、部分表示装置２００の合成画像に配置された対象部分画像のサイズを部分表示装置２００の画面のサイズに合わせることにより、スケールド画像を生成する。具体的には、スケーリング部２０３は、特徴量制御部２０６からのサイズ情報に基づいて、部分表示装置２００の合成画像の領域から対象部分画像の領域を検出する。そして、スケーリング部２０３は、部分表示装置２００の合成画像から、検出した領域における画像を、部分表示装置２００の対象部分画像として抽出する。その後、スケーリング部２０３は、抽出した対象部分画像のサイズを変更することにより、スケールド画像を生成する。
【００３９】
なお、対象部分画像のサイズを画面のサイズに合わせる処理（スケーリング処理）は、対象部分画像を拡大する処理であってもよいし、対象部分画像を縮小する処理であってもよい。スケーリング処理は行わなくてもよい。例えば、部分表示装置２００の対象部分画像のサイズが部分表示装置２００の画面のサイズと一致している場合に、スケーリング処
理が省略されてもよい。スケーリング処理が行われない場合には、スケールド画像の代わりに部分表示装置２００の対象部分画像が使用されればよい。
【００４０】
特徴量処理部２０４は、特徴量取得部２０２によって取得された特徴量に基づく処理（特徴量処理）を実行する。特徴量処理は、輝度調整、シーン検出、等である。特徴量処理は、画像処理であってもよいし、画像処理でなくてもよい。
【００４１】
輝度調整の一例として、特徴量に基づいて表示画像（画面に表示された画像）全体の輝度を変更する処理が挙げられる。このような輝度調整によれば、時間軸方向における表示画像コントラスト（表示画像のコントラスト）を向上できる。輝度調整は、画像データの輝度を変更する処理であってもよいし、そうでなくてもよい。例えば、部分表示装置２００が、発光部と、発光部からの光を変調することで画面に画像を表示する表示パネルとを有する場合には、輝度調整として、発光部の発光輝度を変更する処理が行われてもよい。輝度調整として、発光部の発光輝度と画像データの輝度とを変更する処理が行われてもよい。
【００４２】
シーン検出は、動画の各フレームの特徴量に基づいてシーンの切り替わりを検出する処理である。シーン検出の結果は、シーンに適した画像処理の実行、シーンに適したメタデータの生成、等に利用される。
【００４３】
画像表示部２０５は、部分表示装置２００の対象部分画像を、部分表示装置２００の画面に表示する。具体的には、画像表示部２０５は、スケーリング部２０３によって生成されたスケールド画像を画面に表示する。特徴量処理部２０４によって対象部分画像またはスケールド画像に画像処理が施された場合には、画像処理後の画像が画面に表示されてもよい。
【００４４】
画像表示部２０５は、例えば、発光部と、発光部からの光を変調することで画面に画像を表示する変調パネルとを有する。変調パネルは、画像表示部２０５に入力された画像（画像データ）に基づいて、発光部からの光を変調する。変調パネルとしては、発光部からの光を透過する透過型表示パネル、発光部からの光を反射する反射型表示パネル、等を使用することができる。透過型表示パネルや反射型表示パネルとしては、複数の液晶素子を有する液晶パネル、複数のＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示パネル、等を使用することができる。透過型表示パネルとして液晶パネルを有する画像表示部２０５において、発光部は「バックライト」とも呼ばれる。画像表示部２０５として、有機ＥＬ表示パネル、プラズマ表示パネル、等を使用することもできる。
【００４５】
通信部２０７は、部分表示装置２００に接続された外部装置との通信を行う。例えば、部分表示装置２００Ａの通信部２０７は、画像出力装置１００との通信を行う。具体的には、部分表示装置２００Ａの通信部２０７は、表示装置情報と原画像要求を画像出力装置１００に送信する。部分表示装置２００Ａの通信部２０７は、例えば、特徴量制御部２０６からのサイズ情報に基づいて原画像要求を生成する。
【００４６】
ユーザ設定部２０８は、部分表示装置２００に対するユーザ操作を受け付け、ユーザ操作に応じた種々の設定を行う。例えば、ユーザ操作に応じて、原画像の特徴量の使用の有無、使用される特徴量の種類、特徴取得処理の種類、特徴取得処理で使用されるパラメータ、部分表示装置２００の動作モード、等が設定される。
【００４７】
本実施例に係る画像表示システムの動作は、ユーザ設定部２０８で行われた設定に依存する。その一例は次のとおりである。特徴量制御部２０６は、原画像の特徴量の使用が有
ると設定された場合にのみ、サイズ情報を、特徴量取得部２０２、スケーリング部２０３、及び、通信部２０７に出力する。原画像の特徴量の使用が無いと設定された場合には、画像出力装置１００に原画像要求は送られず、対象部分画像が部分表示装置２００に入力される。そして、部分表示装置２００では、対象部分画像の特徴量に基づく処理が行われたり、特徴量に基づく処理が行われなかったりする。特徴量制御部２０６は、特徴取得処理の種類、特徴取得処理で使用されるパラメータ、部分表示装置２００の動作モード、等に基づいて、サイズ情報を生成する。そのため、サイズ情報が示すサイズは、特徴取得処理の種類、特徴取得処理で使用されるパラメータ、部分表示装置２００の動作モード、等に依存する。特徴量取得部２０２は、設定された種類の特徴量を取得する。特徴量の種類は特に限定されない。例えば、特徴量として、画素値の代表値（平均値、最大値、最小値、中間値、最頻値、等）、画素値のヒストグラム、輝度値の代表値、輝度値のヒストグラム、等を使用することができる。特徴量として、空間周波数の代表値、空間周波数のヒストグラム、空間周波数の分布、所定のオブジェクトの有無、等を使用することができる。特徴量処理部２０４は、設定された種類の特徴量処理を行う。
【００４８】
次に、本実施例に係る画像出力装置１００と部分表示装置２００Ａの動作の一例について、図４を用いて説明する。なお、部分表示装置２００Ｂ〜２００Ｄの動作は、部分表示装置２００Ａの動作と同等であるため、その説明は省略する。以下では、各部分表示装置において原画像の特徴量が必要とされる例を説明する。
【００４９】
まず、Ｓ１００１にて、部分表示装置２００Ａの通信部２０７が、表示装置情報と原画像要求を、画像出力装置１００の通信部１０７に出力する。原画像要求には、サイズ情報が含まれている。
【００５０】
次に、Ｓ１００２にて、画像出力装置１００の画像分割部１０２が、表示装置情報に基づいて、原画像を複数の部分画像に分割する。具体的には、部分表示装置の数と配置に基づいて、原画像が、部分表示装置の数と同じ数の部分画像に分割される。本実施例では、原画像が４つの部分画像に分割される。
【００５１】
そして、Ｓ１００３にて、画像出力装置１００の画像縮小部１０３が、Ｓ１００１で得られた原画像要求に応じて、原画像と、Ｓ１００２で得られた４つの対象部分画像とを縮小する。具体的には、サイズ情報が示すサイズに原画像が縮小され、部分表示装置２００Ａに伝送可能なサイズを有する画像が合成画像として生成されるように４つの部分画像が縮小される。それにより、縮小原画像と４つの縮小部分画像が生成される。
【００５２】
次に、Ｓ１００４にて、画像出力装置１００の画像合成部１０４が、Ｓ１００３で生成された４つ縮小部分画像のそれぞれについて、その縮小部分画像と、Ｓ１００３で生成された縮小原画像とを合成する。それにより、４つの合成画像が生成される。
【００５３】
そして、Ｓ１００５にて、画像出力装置１００の画像出力部１０５が、Ｓ１００４で生成された４つの合成画像を、部分表示装置２００Ａの画像入力部２０１に出力する。図５は、画像出力部１０５から出力された上記４つの合成画像の一例を示す。図５において、合成画像３００Ａは部分表示装置２００Ａの合成画像であり、合成画像３００Ｂは部分表示装置２００Ｂの合成画像である。そして、合成画像３００Ｃは部分表示装置２００Ｃの合成画像であり、合成画像３００Ｄは部分表示装置２００Ｄの合成画像である。合成画像３００Ａには、部分表示装置２００Ａの対象部分画像３０１Ａと、縮小原画像３０２とが配置されている。合成画像３００Ｂには、部分表示装置２００Ｂの対象部分画像３０１Ｂと、縮小原画像３０２とが配置されている。合成画像３００Ｃには、部分表示装置２００Ｃの対象部分画像３０１Ｃと、縮小原画像３０２とが配置されている。そして、合成画像３００Ｄには、部分表示装置２００Ｄの対象部分画像３０１Ｄと、縮小原画像３０２とが
配置されている。部分表示装置２００Ａの画像入力部２０１は、合成画像３００Ｂ〜３００Ｄを、部分表示装置２００Ｂの画像入力部２０１に出力する。また、部分表示装置２００Ａの画像入力部２０１は、合成画像３００Ａを、部分表示装置２００Ａの特徴量取得部２０２と、部分表示装置２００Ａのスケーリング部２０３とに出力する。
【００５４】
次に、Ｓ１００６にて、部分表示装置２００Ａの特徴量取得部２０２が、Ｓ１００５で取得された合成画像３００Ａから、縮小原画像３０２の特徴量を取得する。
【００５５】
そして、Ｓ１００７にて、部分表示装置２００Ａのスケーリング部２０３が、Ｓ１００５で取得された合成画像３００Ａから対象部分画像３０１Ａを抽出し、対象部分画像３０１Ａのサイズを部分表示装置２００の画面のサイズに合わせる。それにより、スケールド画像が生成される。
【００５６】
次に、Ｓ１００８にて、部分表示装置２００Ａの特徴量処理部２０４が、Ｓ１００６で取得された特徴量に基づく特徴量処理を行う。また、部分表示装置２００Ａの画像表示部２０５が、Ｓ１００７で生成されたスケールド画像を、部分表示装置２００Ａの画面に表示する。特徴量処理部２０４によってスケールド画像に画像処理が施された場合には、画像処理後の画像が画面に表示される。
【００５７】
以上述べたように、本実施例によれば、部分表示装置において、対象部分画像だけでなく、縮小原画像が取得される。そして、特徴量の取得が部分表示装置で行われ、特徴量の取得に縮小原画像が使用される。それにより、部分表示装置に原画像の所望の特徴量（所望の種類の特徴量）に基づく処理を容易に実行させることができる。例えば、部分表示装置で使用される特徴量の種類の変化に応じて画像出力装置の設定を変更する必要がないため、コストアップ、ユーザ操作の煩雑化、等を抑制しながら、部分表示装置に原画像の所望の特徴量に基づく処理を実行させることができる。また、本実施例では、装置間での特徴量の伝送は行われないため、特徴量の送受信のための通信ケーブルが必要ない。そのため、接続の煩雑化、コストアップ、等を抑制することができる。
【００５８】
なお、本実施例では、全ての部分表示装置が同様の構成を有する例を説明したが、これに限らない。本実施例で述べた処理が少なくとも１つの部分表示装置で行われれば、その部分表示装置に原画像の所望の特徴量に基づく処理を容易に実行させることができる。
【００５９】
なお、本実施例では、デイジーチェーン接続されたマルチディスプレイシステムの例を説明したが、マルチディスプレイシステムの接続形態は特に限定されない。例えば、スター接続されたマルチディスプレイシステムが使用されてもよい。即ち、複数の部分表示装置のそれぞれが画像出力装置に接続されてもよい。そのような接続形態の場合には、画像出力装置から部分表示装置に、当該部分表示装置の合成画像のみが伝送されてもよい。また、部分表示装置間での合成画像の伝送は行われなくてもよい。
【００６０】
＜実施例２＞
以下、本発明の実施例２について説明する。なお、実施例１と同様の構成や処理についての説明は省略する。図６は、本実施例に係る画像表示システム（マルチディスプレイシステム）の構成の一例を示すブロック図である。本実施例に係る画像出力装置１００は、先頭表示装置判定部１０８をさらに有する。
【００６１】
先頭表示装置判定部１０８は、画像出力装置１００の出力画像が先頭表示装置用の画像であるか否かを判定する。先頭表示装置は、デイジーチェーン接続された複数の部分表示装置のうちの先頭の部分表示装置である。このような判定は、例えば、ディスプレイＩＤを使用することで実現できる。具体的には、ディスプレイＩＤを用いて先頭部分表示装置
の検出し、その検出結果に基づいて上記判定を実現することができる。ディスプレイＩＤは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）により規格化された情報である。ディスプレイＩＤは、複数の部分表示装置の接続形態（トポロジ）の情報、各部分表示装置の画面配置の情報、各部分表示装置の画面サイズの情報、各部分表示装置のベゼルの情報、等を含む。ディスプレイＩＤは、例えば、部分表示装置から画像出力装置に通知される。また、画像表示システムに対するユーザ操作に応じて各部分表示装置の位置情報が予め設定されている場合には、予め設定された位置情報を用いて上記判定を実現することができる。
【００６２】
画像出力装置１００の出力画像が先頭表示装置用の画像であると判定された場合には、実施例１と同様に、画像出力装置１００は、合成画像を生成し出力する。画像出力装置１００の出力画像が先頭表示装置用の画像でないと判定された場合には、画像出力装置１００は、部分画像の縮小や合成画像の生成を省略し、縮小されていない部分画像を出力する。
【００６３】
図６では、部分表示装置２００Ａが先頭表示装置である。そのため、画像出力装置１００が部分表示装置２００Ａの対象部分画像を出力する場合に、先頭表示装置判定部１０８は、画像出力装置１００の出力画像が先頭表示装置用の画像であると判定する。そして、画像出力装置１００は合成画像を出力する。画像出力装置１００が部分表示装置２００Ｂ〜２００Ｄの対象部分画像を出力する場合に、先頭表示装置判定部１０８は、画像出力装置１００の出力画像が先頭表示装置用の画像でないと判定する。そして、画像出力装置１００は縮小されていない部分画像を出力する。
【００６４】
図７は、本実施例に係る部分表示装置２００の構成の一例を示すブロック図である。図６の部分表示装置２００Ａ〜２００Ｄは、図７の部分表示装置２００の構成と同様の構成を有する。図７に示すように、部分表示装置２００は、位置情報記憶部２１０と特徴量付加部２０９をさらに有する。
【００６５】
部分表示装置２００Ａの画像入力部２０１は、部分表示装置２００Ａの合成画像と、部分表示装置２００Ｂ〜２００Ｄの対象部分画像とを取得する。そして、部分表示装置２００Ａの画像入力部２０１は、部分表示装置２００Ａの合成画像を、特徴量取得部２０２とスケーリング部２０３に出力し、部分表示装置２００Ｂ〜２００Ｄの対象部分画像を特徴量付加部２０９に出力する。
【００６６】
部分表示装置２００Ｂ〜２００Ｄの画像入力部２０１は、自装置の対象部分画像と、特徴量とを取得する。本実施例では、部分表示装置２００Ｂ〜２００Ｄの対象部分画像として、縮小されていない部分画像が使用される。そして、部分表示装置２００Ｂ〜２００Ｄの画像入力部２０１は、自装置の対象部分画像をスケーリング部２０３に出力し、特徴量を特徴量取得部２０２に出力する。
【００６７】
部分表示装置２００の後段に他の部分表示装置が接続されている場合には、画像入力部２０１は、後段の部分表示装置の対象部分画像も取得する。そして、画像入力部２０１は、後段の部分表示装置の対象部分画像を、特徴量付加部２０９に出力する。
【００６８】
部分表示装置２００Ａの特徴量取得部２０２は、実施例１と同様の方法で特徴量を取得する。そして、部分表示装置２００Ａの特徴量取得部２０２は、取得した特徴量を、特徴量処理部２０４と特徴量付加部２０９に出力する。部分表示装置２００Ｂ〜２００Ｄの特徴量取得部２０２は、画像入力部２０１から出力された特徴量を、特徴量処理部２０４と特徴量付加部２０９に出力する。
【００６９】
位置情報記憶部２１０は、部分表示装置２００（自装置）のディスプレイＩＤを記憶する。具体的には、位置情報記憶部２１０は、自装置の画面配置の情報、自装置の画面サイズの情報、画像表示システムの接続形態（トポロジ）の情報、自装置のベゼルの情報、等を記憶する。位置情報記憶部２１０としては、磁気ディスク、半導体メモリ、光ディスク、等を使用することができる。
【００７０】
通信部２０７は、実施例１と同様の機能を有する。但し、本実施例では、表示装置情報としてディスプレイＩＤが使用される。
【００７１】
特徴量付加部２０９は、部分表示装置２００の後段に他の部分表示装置が接続されている場合に、画像入力部２０１から出力された対象部分画像と、特徴量取得部２０２から出力された特徴量とを、後段の部分表示装置に出力する。本実施例では、特徴量付加部２０９は、画像入力部２０１から出力された対象部分画像（対象部分画像の画像データ）に、特徴量取得部２０２から出力された特徴量を付加する。そして、特徴量付加部２０９は、特徴量が付加された対象部分画像を出力する。特徴量は、例えば、画像データの一部のデータ領域に格納される。具体的には、特徴量は、対象部分画像を表すデータが格納されていないデータ領域に格納される。対象部分画像を表すデータが格納されていないデータ領域は、例えば、バックポーチ領域である。バックポーチ領域は、時間方向において連続する画像（フレーム）間のデータ領域である。なお、対象部分画像と特徴量の伝送方法は特に限定されない。例えば、対象部分画像と特徴量が個別に伝送されてもよい。
【００７２】
次に、本実施例に係る画像表示システムの動作の一例について、図８を用いて説明する。
【００７３】
まず、Ｓ２００１にて、部分表示装置２００Ｂ〜２００ＤのディスプレイＩＤが、部分表示装置２００Ａに通知される。具体的には、部分表示装置２００Ｄの通信部２０７から、部分表示装置２００Ｃの通信部２０７へ、部分表示装置２００ＤのディスプレイＩＤが通知される。部分表示装置２００Ｃの通信部２０７から、部分表示装置２００Ｂの通信部２０７へ、部分表示装置２００Ｃ，２００ＤのディスプレイＩＤが通知される。そして、部分表示装置２００Ｂの通信部２０７から、部分表示装置２００Ａの通信部２０７へ、部分表示装置２００Ｂ〜２００ＤのディスプレイＩＤが通知される。
【００７４】
次に、Ｓ２００２にて、部分表示装置２００Ａの通信部２０７が、部分表示装置２００Ｂ〜２００ＤのディスプレイＩＤと、部分表示装置２００ＡのディスプレイＩＤとを、画像出力装置１００の通信部１０７に通知する。また、部分表示装置２００Ａの通信部２０７は、原画像要求を、画像出力装置１００の通信部１０７に出力する。
【００７５】
そして、Ｓ２００３にて、画像出力装置１００の先頭表示装置判定部１０８が、部分表示装置２００Ａを先頭表示装置として検出し、部分表示装置２００Ａの合成画像を生成する。合成画像の生成方法は、実施例１と同じである。
【００７６】
次に、Ｓ２００４にて、画像出力装置１００の画像出力部１０５が、Ｓ２００３で生成された合成画像と、部分表示装置２００Ｂ〜２００Ｄの対象部分画像とを、部分表示装置２００Ａの画像入力部２０１に出力する。画像（画像データ）は、例えば、ストリーム形式で伝送される。
【００７７】
図９は、画像出力部１０５の出力画像の一例を示す。図９に示すように、画像出力部１０５からは、部分表示装置２００Ａの合成画像４００、部分表示装置２００Ｂの対象部分画像４０１、部分表示装置２００Ｃの対象部分画像４０２、及び、部分表示装置２００Ｄの対象部分画像４０３が出力される。対象部分画像４０１〜４０３は、縮小されていない
部分画像である。画像出力装置１００では、部分表示装置２００Ｂ〜２００Ｄで表示される部分画像の縮小と、部分表示装置２００Ｂ〜２００Ｄの合成画像の生成とは行われない。
【００７８】
次に、Ｓ２００５にて、部分表示装置２００Ａの特徴量取得部２０２が、実施例１と同様に、合成画像４００に配置されている縮小原画像から、特徴量を取得する。その後、部分表示装置２００Ａでは、実施例１と同様に、特徴量処理と、対象部分画像の表示とが行われる。
【００７９】
そして、Ｓ２００６にて、部分表示装置２００Ａの特徴量付加部２０９が、後段の部分表示装置の対象部分画像に、Ｓ２００５で得られた特徴量を付加する。具体的には、部分表示装置２００Ｂの対象部分画像４０１、部分表示装置２００Ｃの対象部分画像４０２、及び、部分表示装置２００Ｄの対象部分画像４０３のそれぞれに特徴量が付加される。
【００８０】
次に、Ｓ２００７にて、部分表示装置２００Ａが、Ｓ２００６で得られた対象部分画像（特徴量が付加された対象部分画像）を、部分表示装置２００Ｂ〜２００Ｄに出力する。具体的には、部分表示装置２００Ａの特徴量付加部２０９から、部分表示装置２００Ｂの画像入力部２０１へ、部分表示装置２００Ｂ〜２００Ｄの対象部分画像（特徴量が付加された対象部分画像）が出力される。部分表示装置２００Ｂの特徴量付加部２０９から、部分表示装置２００Ｃの画像入力部２０１へ、部分表示装置２００Ｃ，２００Ｄの対象部分画像が出力される。そして、部分表示装置２００Ｃの特徴量付加部２０９から、部分表示装置２００Ｄの画像入力部２０１へ、部分表示装置２００Ｄの対象部分画像が出力される。
【００８１】
そして、Ｓ２００８にて、部分表示装置２００Ｂ〜２００Ｄの特徴量取得部２０２が、Ｓ２００７で取得された特徴量を、画像入力部２０１から取得する。本実施例では、画像入力部２０１から特徴量取得部２０２に、自装置の対象部分画像（特徴量が付加された対象部分画像）が送られる。そして、特徴量取得部２０２は、画像入力部２０１から送れられた対象部分画像から、特徴量を取得する。その後、部分表示装置２００Ｂ〜２００Ｄでは、実施例１と同様に、特徴量処理と、対象部分画像の表示とが行われる。
【００８２】
以上述べたように、本実施例によれば、最後段の部分表示装置でない部分表示装置から後段の部分表示装置に、縮小原画像から取得された特徴量が出力される。それにより、先頭の部分表示装置でない部分表示装置に原画像の所望の特徴量に基づく処理を容易に実行させることができる。さらに、先頭の部分表示装置でない部分表示装置において、縮小原画像から特徴量を取得する処理を省略することができる。それにより、先頭の部分表示装置でない部分表示装置の処理負荷を低減することができる。
【００８３】
また、本実施例によれば、画像出力装置において、縮小原画像から特徴量を取得する部分表示装置についてのみ、部分画像の縮小と、合成画像の生成とが行われればよい。そのため、画像出力装置において、縮小原画像から特徴量を取得しない部分表示装置についての部分画像の縮小と合成画像の生成とを省略することができる。それにより、画像出力装置の処理負荷を低減することができる。また、部分画像の縮小が省略されることにより、部分表示装置において、より高品質な画像を表示することができる。
【００８４】
なお、本実施例では、縮小原画像から特徴量を取得する処理が、先頭の部分表示装置でのみ行われる例を説明したが、これに限らない。先頭の部分表示装置を含む複数の部分表示装置において、縮小原画像から特徴量を取得する処理が行われてもよい。マルチディスプレイシステムが有する複数の部分表示装置の少なくともいずれかにおいて、縮小原画像から特徴量を取得する処理が省略されれば、マルチディスプレイシステムの処理負荷を低
減することができる。縮小原画像から特徴量を取得する処理を実行する部分表示装置に対しては、縮小原画像から取得された特徴量が前段の部分表示装置から出力されなくてもよい。
【００８５】
＜実施例３＞
以下、本発明の実施例３について説明する。なお、実施例１と同様の構成や処理についての説明は省略する。図１０は、本実施例に係る画像表示システム（マルチディスプレイシステム）の構成の一例を示すブロック図である。本実施例に係る画像出力装置１００は、原画像サイズ決定部１０９をさらに有する。
【００８６】
本実施例では、通信部１０７で受信される表示装置情報に、解像度情報が含まれている。解像度情報は、部分表示装置に入力可能な画像のサイズの情報である。「部分表示装置に入力可能な画像」は、「部分表示装置において処理可能な画像」とも言える。原画像サイズ決定部１０９は、解像度情報に基づいて縮小原画像のサイズを決定し、決定したサイズ（縮小原画像のサイズ；縮小サイズ）を制御部１０６に通知する。本実施例では、縮小されていない部分画像と共に出力できる画像のサイズが、縮小原画像のサイズとして決定される。例えば、縮小されていない部分画像と共に出力できる画像のサイズの最大値が、縮小原画像のサイズとして決定される。具体的には、解像度情報が示すサイズから、縮小されていない部分画像のサイズを減算したサイズが、縮小原画像のサイズとして決定される。
【００８７】
制御部１０６は、原画像サイズ決定部１０９から通知された縮小サイズに基づいて、原画像の縮小と、合成画像の生成とを指示する。それにより、画像縮小部１０３において、縮小サイズを有する縮小原画像が生成される。そして、画像合成部１０４において、縮小サイズを有する縮小原画像と、縮小されていない部分画像とが配置された合成画像が生成される。
【００８８】
図１１は、本実施例に係る部分表示装置２００の構成の一例を示すブロック図である。図１０の部分表示装置２００Ａ〜２００Ｄは、図１１の部分表示装置２００の構成と同様の構成を有する。図１１に示すように、部分表示装置２００は、対応解像度情報記憶部２１１をさらに有する。
【００８９】
対応解像度情報記憶部２１１は、部分表示装置２００に入力可能な画像のサイズの情報である解像度情報（対応解像度情報）を記憶する。対応解像度情報記憶部２１１としては、磁気ディスク、半導体メモリ、光ディスク、等を使用することができる。
【００９０】
通信部２０７は、実施例１と同様の機能を有する。但し、本実施例では、表示装置情報に、対応解像度情報記憶部２１１が記憶する解像度情報が含まれる。
【００９１】
次に、本実施例に係る画像出力装置１００と部分表示装置２００Ａの動作の一例について、図１２を用いて説明する。なお、部分表示装置２００Ｂ〜２００Ｄの動作は、部分表示装置２００Ａの動作と同等であるため、その説明は省略する。
【００９２】
まず、Ｓ３００１にて、部分表示装置２００Ａの通信部２０７が、表示装置情報と原画像要求を、画像出力装置１００の通信部１０７に出力する。表示装置情報には、解像度情報が含まれている。
【００９３】
次に、Ｓ３００２にて、画像出力装置１００の原画像サイズ決定部１０９が、Ｓ３００１で得られた解像度情報に基づいて、縮小サイズを決定する。なお、原画像要求に含まれているサイズ情報に応じたサイズ（原画像の特徴量と略同一の特徴量の取得に必要な原画
像のサイズ）よりも縮小サイズが小さいか否かが判定されてもよい。サイズ情報に応じたサイズと縮小サイズとの比較は、例えば、画像出力装置１００の制御部１０６で行われる。そして、サイズ情報に応じたサイズが縮小サイズよりも大きい場合に、画像出力装置１００の通信部１０７から部分表示装置２００Ａの通信部２０７に所定の情報が通知されてもよい。サイズ情報に応じたサイズが縮小サイズよりも大きい場合に、原画像の縮小、合成画像の生成、等が省略され、画像出力装置１００から部分画像のみが出力されてもよい。所定の情報として、例えば、サイズ情報に応じたサイズが縮小サイズよりも大きいことを示す情報、縮小原画像を伝送できないことを示す情報、等を使用することができる。所定の情報として、原画像の特徴量に基づく処理が実行できないことを示す情報、原画像の特徴量に基づく処理の精度が低下することを示す情報、等を使用することもできる。
【００９４】
そして、Ｓ３００３にて、画像出力装置１００の画像縮小部１０３が、Ｓ３００２で決定された縮小サイズに原画像を縮小することにより、縮小原画像を生成する。
【００９５】
次に、Ｓ３００４にて、画像出力装置１００の画像合成部１０４が、Ｓ３００３で生成された縮小原画像を用いて、合成画像を生成する。本実施例では、Ｓ３００３で生成された縮小原画像と、縮小されていない部分画像とが配置された合成画像が生成される。
【００９６】
そして、Ｓ３００５にて、画像出力装置１００の画像出力部１０５が、Ｓ３００４で生成された合成画像を、部分表示装置２００Ａの画像入力部２０１に出力する。図１３は、画像出力部１０５から出力された合成画像の一例を示す。図１３において、合成画像５００Ａは部分表示装置２００Ａの合成画像であり、合成画像５００Ｂは部分表示装置２００Ｂの合成画像である。そして、合成画像５００Ｃは部分表示装置２００Ｃの合成画像であり、合成画像５００Ｄは部分表示装置２００Ｄの合成画像である。合成画像５００Ａには、部分表示装置２００Ａの対象部分画像５０１Ａと、縮小原画像５０２とが配置されている。合成画像５００Ｂには、部分表示装置２００Ｂの対象部分画像５０１Ｂと、縮小原画像５０２とが配置されている。合成画像５００Ｃには、部分表示装置２００Ｃの対象部分画像５０１Ｃと、縮小原画像５０２とが配置されている。そして、合成画像５００Ｄには、部分表示装置２００Ｄの対象部分画像５０１Ｄと、縮小原画像５０２とが配置されている。対象部分画像５０１Ａ〜５０１Ｄは、縮小されていない部分画像であり、縮小原画像５０２のサイズは、Ｓ３００２で決定された縮小サイズである。
【００９７】
次に、Ｓ３００６にて、部分表示装置２００Ａの特徴量取得部２０２が、Ｓ３００５で取得された合成画像５００Ａから、縮小原画像５０２の特徴量を取得する。その後、部分表示装置２００Ａでは、実施例１と同様に、特徴量処理と、対象部分画像の表示とが行われる。また、所定のタイミングで、後段の部分表示装置への合成画像の出力も行われる。
【００９８】
以上述べたように、本実施例によれば、部分表示装置において、縮小されていない部分画像が取得される。それにより、部分表示装置において、より高品質な画像を表示することができる。また、本実施例によれば、画像出力装置において、解像度情報に基づいて、より大きいサイズを有する縮小原画像を生成することができ、部分表示装置において、より大きいサイズを有する縮小原画像を取得することができる。それにより、部分表示装置において、より高精度な特徴量処理を実行することができる。
【００９９】
なお、本実施例では、デイジーチェーン接続されたマルチディスプレイシステムの例を説明したが、マルチディスプレイシステムの接続形態は特に限定されない。例えば、スター接続されたマルチディスプレイシステムが使用されてもよい。
【０１００】
＜実施例４＞
以下、本発明の実施例４について説明する。なお、実施例１と同様の構成や処理につい
ての説明は省略する。図１４は、本実施例に係る画像表示システム（マルチディスプレイシステム）の構成の一例を示すブロック図である。本実施例に係る画像出力装置１００は、図１の画像縮小部１０３と画像合成部１０４を有していない。本実施例に係る画像出力装置１００の画像出力部１０５は、縮小されていない部分画像を外部装置に出力する。
【０１０１】
図１５は、本実施例に係る先頭表示装置（部分表示装置２００Ａ）の構成の一例を示すブロック図である。を示す。本実施例に係る部分表示装置２００Ａは、図２の部分表示装置２００が有する複数の機能部、画像縮小部２１２、画像合成部２１３、及び、出力画像置換部２１４を有する。
【０１０２】
画像入力部２０１は、４つの部分表示装置２００Ａ〜２００Ｄに対応する４つの対象部分画像を取得する。対象部分画像として、縮小されていない部分画像が取得される。画像入力部２０１は、部分表示装置２００Ａの対象部分画像をスケーリング部２０３に出力し、部分表示装置２００Ａ〜２００Ｄの対象部分画像を画像縮小部２１２に出力する。また、画像入力部２０１は、少なくとも部分表示装置２００Ｂ〜２００Ｄの対象部分画像を出力画像置換部２１４に出力する。
【０１０３】
画像縮小部２１２は、上記４つの対象部分画像のそれぞれを縮小することにより、４つの縮小部分画像を生成する。例えば、画像縮小部２１２は、原画像のサイズに対する対象部分画像のサイズの割合を縮小率として用いて、対象部分画像を縮小する。このような縮小率は、「対象部分画像の数の逆数」、「部分表示装置の数の逆数」、等と言うこともできる。なお、画像合成部２１３において所定サイズ以下のサイズを有する縮小原画像を取得することができれば、縮小部分画像のサイズは特に限定されない。但し、縮小率は小さいほど好ましい。即ち、縮小部分画像のサイズは大きいほど好ましい。
【０１０４】
画像合成部２１３は、画像縮小部２１２で生成された４つの縮小部分画像を合成することにより、縮小原画像を生成する。画像合成部２１３は、生成した縮小原画像を、特徴量取得部２０２と出力画像置換部２１４に出力する。特徴量取得部２０２では、画像合成部２１３から出力された縮小原画像の特徴量が取得される。なお、４つの対象部分画像を合成することによって原画像を復元し、復元された原画像を縮小することによって縮小原画像が生成されてもよい。各部分表示装置の対象部分画像が取得され、各部分表示装置の対象部分画像から縮小原画像が生成されれば、縮小原画像の生成方法は特に限定されない。
【０１０５】
出力画像置換部２１４は、画像合成部２１３で生成された縮小原画像と、部分表示装置２００Ｂ〜２００Ｄの対象部分画像とを、後段の部分表示装置２００Ｂに出力する。本実施例では、部分表示装置２００Ａに入力された４つの対象部分画像が、出力画像置換部２１４に入力される。出力画像置換部２１４は、４つの対象部分画像のうちの部分表示装置２００Ａの対象部分画像を、縮小原画像に置き換える（置換処理）。そして、置換処理後の４つの画像（縮小原画像、及び、部分表示装置２００Ｂ〜２００Ｄの対象部分画像）を出力する。本実施例では、出力画像置換部２１４は、縮小原画像、部分表示装置２００Ｂの対象部分画像、部分表示装置２００Ｃの対象部分画像、及び、部分表示装置２００Ｄの対象部分画像を、その順番で出力する。
【０１０６】
図１６は、本実施例に係る非先頭表示装置２５０の構成の一例を示すブロック図である、非先頭表示装置２５０は、先頭の部分表示装置でない部分表示装置２００Ｂ〜２００Ｄである。非先頭表示装置２５０は、図２の部分表示装置２００が有する複数の機能部と、先頭画像取得部２５１とを有する。
【０１０７】
画像入力部２０１は、縮小原画像と、自装置の対象部分画像とを、その順番で取得する。また、画像入力部２０１は、自装置の対象部分画像をスケーリング部２０３に出力する
。後段の部分表示装置が存在する場合には、画像入力部２０１は、後段の部分表示装置の対象部分画像をさらに取得し、縮小原画像と、後段の部分表示装置の対象部分画像とを、その順番で後段の部分表示装置に出力する。後段の部分表示装置の対象部分画像は、縮小原画像よりも後に取得される。即ち、いかなる場合においても、縮小原画像が最初に取得される。また、いかなる場合においても、後段の部分表示装置に対して、縮小原画像が最初に出力される。本実施例では、画像入力部２０１は、縮小原画像、部分表示装置２００Ｂの対象部分画像、部分表示装置２００Ｃの対象部分画像、及び、部分表示装置２００Ｄの対象部分画像を、その順番で取得する。後段の部分表示装置が存在する場合には、画像入力部２０１は、縮小原画像、部分表示装置２００Ｂの対象部分画像、部分表示装置２００Ｃの対象部分画像、及び、部分表示装置２００Ｄの対象部分画像を、その順番で後段の部分表示装置に出力する。
【０１０８】
先頭画像取得部２５１は、画像入力部２０１で最初に取得された画像（先頭画像）を、画像入力部２０１から取得する。上述したように、画像入力部２０１では、縮小原画像が最初に取得される。そのため、先頭画像取得部２５１では、縮小原画像が取得される。先頭画像取得部２５１は、取得した先頭画像（縮小原画像）を、特徴量取得部２０２に出力する。特徴量取得部２０２では、先頭画像取得部２５１から出力された縮小原画像の特徴量が取得される。
【０１０９】
次に、本実施例に係る画像表示システムの動作の一例について、図１７を用いて説明する。
【０１１０】
まず、Ｓ４００１にて、画像出力装置１００の画像出力部１０５が、部分表示装置２００Ａの画像入力部２０１に、４つの対象部分画像を出力する。図１８は、画像出力部１０５の出力画像の一例を示す。図１８に示すように、画像出力部１０５からは、部分表示装置２００Ａの対象部分画像６００Ａ、部分表示装置２００Ｂの対象部分画像６００Ｂ、部分表示装置２００Ｃの対象部分画像６００Ｃ、及び、部分表示装置２００Ｄの対象部分画像６００Ｄが出力される。対象部分画像６００Ａ〜６００Ｄは、縮小されていない部分画像である。画像出力装置１００では、部分画像の縮小と、合成画像の生成とは行われない。
【０１１１】
次に、Ｓ４００２にて、部分表示装置２００Ａの画像縮小部２１２が、Ｓ４００１で取得された４つの対象部分画像のそれぞれを縮小する。それにより、４つの縮小部分画像が生成される。
【０１１２】
そして、Ｓ４００３にて、部分表示装置２００Ａの画像縮小部２１２が、Ｓ４００２で生成された４つの縮小部分画像を合成することにより、縮小原画像を生成する。その後、部分表示装置２００Ａでは、縮小原画像の特徴量の取得、特徴量処理、対象部分画像の表示、等が行われる。
【０１１３】
次に、Ｓ４００４にて、部分表示装置２００Ａの出力画像置換部２１４が、Ｓ４００１で取得された４つの対象部分画像のうちの部分表示装置２００Ａの対象部分画像を、Ｓ４００３で生成された縮小原画像に置き換える。
【０１１４】
そして、Ｓ４００５にて、部分表示装置２００Ａが、Ｓ４００４の処理結果（縮小原画像、及び、対象部分画像６００Ｂ〜６００Ｄの対象部分画像）を、部分表示装置２００Ｂ〜２００Ｄに出力する。具体的には、部分表示装置２００Ａの出力画像置換部２１４から、部分表示装置２００Ｂの画像入力部２０１へ、縮小原画像と、対象部分画像６００Ｂ〜６００Ｄの対象部分画像とが出力される。部分表示装置２００Ｂの画像入力部２０１から、部分表示装置２００Ｃの画像入力部２０１へ、縮小原画像と、対象部分画像６００Ｂ〜
６００Ｄの対象部分画像とが出力される。部分表示装置２００Ｃの画像入力部２０１から、部分表示装置２００Ｄの画像入力部２０１へ、縮小原画像と、対象部分画像６００Ｂ〜６００Ｄの対象部分画像とが出力される。
【０１１５】
図１９は、部分表示装置２００Ａ〜２００Ｃの出力画像の一例を示す。符号６０１は、縮小原画像を示す。図１８，１９から、図１９では、図１８の対象部分画像６００Ａが縮小原画像６０１に置き換えられていることがわかる。部分表示装置２００Ａ〜２００Ｃからは、縮小原画像６０１、対象部分画像６００Ｂ、対象部分画像６００Ｃ、及び、対象部分画像６００Ｄが、その順番で出力される。
【０１１６】
次に、Ｓ４００６にて、部分表示装置２００Ｂ〜２００Ｄの先頭画像取得部２５１が、自装置に最初に入力された画像（先頭画像）を取得する。ここでは、先頭画像として、縮小原画像が取得される。その後、部分表示装置２００Ｂ〜２００Ｄでは、縮小原画像の特徴量の取得、特徴量処理、対象部分画像の表示、等が行われる。
【０１１７】
以上述べたように、本実施例によれば、部分表示装置において縮小原画像が生成される。それにより、部分表示装置に原画像の所望の特徴量に基づく処理を容易に実行させることができる。また、画像出力装置として従来の画像出力装置を利用することが可能となる。
【０１１８】
なお、本実施例では、先頭表示装置でのみ縮小原画像が生成される例を説明したが、先頭表示装置を含む複数の部分表示装置において、縮小原画像の生成が行われてもよい。
【０１１９】
なお、本実施例では、デイジーチェーン接続されたマルチディスプレイシステムの例を説明したが、マルチディスプレイシステムの接続形態は特に限定されない。例えば、スター接続されたマルチディスプレイシステムが使用されてもよい。具体的には、スター接続されたマルチディスプレイシステムの全ての部分表示装置において、縮小原画像の生成が行われてもよい。
【０１２０】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【０１２１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２２】
２００，２００Ａ〜２００Ｄ：部分表示装置  ２０１：画像入力部
２０２：特徴量取得部  ２０４：特徴量処理部  ２０５：画像表示部
２１２：画像縮小部  ２１３：画像合成部  ２５０：非先頭表示装置
【図１】
2017078834.tif 000003
【図２】
2017078834.tif 000004
【図３】
2017078834.tif 000005
【図４】
2017078834.tif 000006
【図５】
2017078834.tif 000007
【図６】
2017078834.tif 000008
【図７】
2017078834.tif 000009
【図８】
2017078834.tif 000010
【図９】
2017078834.tif 000011
【図１０】
2017078834.tif 000012
【図１１】
2017078834.tif 000013
【図１２】
2017078834.tif 000014
【図１３】
2017078834.tif 000015
【図１４】
2017078834.tif 000016
【図１５】
2017078834.tif 000017
【図１６】
2017078834.tif 000018
【図１７】
2017078834.tif 000019
【図１８】
2017078834.tif 000020
【図１９】
2017078834.tif 000021
【図２０】
2017078834.tif 000022
【図２１】
2017078834.tif 000023
【図２２】
2017078834.tif 000024